(57)【要約】【課題】従来と比較して小型の緩衝装置を提供すること。【解決手段】緩衝装置２００は、筐体１１０に固定されるべき固定部２１０と、固定部２１０に移動可能に支持されて筐体１２０に固定されるべき固定部２２０とを備え、筐体１２０に取り付けられることによって筐体１２０に固定された取付部２２１と、固定部２１０の内部に挿入された挿入部２２２と、取付部２２１及び挿入部２２２を連結した連結部２２３とを固定部２２０が有し、取付部２２１及び連結部２２３の弾性係数が、挿入部２２２の弾性係数より大きくなるようにする。【選択図】      図２
2004197832.tif 000002
【特許請求の範囲】
【請求項１】
第１の部材に固定されるべき第１の固定部と、前記第１の固定部に移動可能に支持されて第２の部材に固定されるべき第２の固定部とを備え、
前記第２の固定部は、前記第１の固定部の内部に挿入された挿入部を有し、前記第２の固定部の一部又は全部が弾性係数の異なる複数の弾性体によって形成されたことを特徴とする緩衝装置。
【請求項２】
前記第２の固定部は、弾性体によって形成されて前記第２の部材に取り付けられることによって前記第２の部材に固定されるべき取付部を有したことを特徴とする請求項１に記載の緩衝装置。
【請求項３】
対向して配置された一対の請求項１又は請求項２に記載の緩衝装置と、一対の前記緩衝装置の前記第１の固定部に固定された前記第１の部材と、一対の前記緩衝装置の前記第２の固定部に固定された前記第２の部材と、弾性体によって形成されて前記第２の部材を３次元方向に移動可能に前記第１の部材に連結した複数の弾性連結部とを備えたことを特徴とする防振装置。
【請求項４】
前記第２の部材に直接的に或いは間接的に支持されてディスクの情報の読み取り及び書き込みの少なくとも一方を行うヘッド部を備えたことを特徴とする請求項３に記載の防振装置。
【発明の詳細な説明】
【０００１】
【発明の属する技術分野】
本発明は、衝撃や振動を緩める緩衝装置と、この緩衝装置を備えた防振装置とに関する。
【０００２】
【従来の技術】
従来、衝撃や振動を緩める緩衝装置として図４に示す緩衝装置９００のような緩衝装置が知られている（例えば、特許文献１参照。）。
【０００３】
緩衝装置９００は、部材９９１に固定される固定部９１０と、固定部９１０に移動可能に支持されて部材９９２に固定される固定部９２０とを備えている。
【０００４】
ここで、固定部９１０は、複数のねじ９９３によって部材９９１に固定される基部９１１と、弾性体によって形成されて基部９１１に固定された略円筒状の壁部９１２と、弾性体によって形成されて固定部９２０を３次元方向に移動可能に壁部９１２に連結した波状の連結部９１３とを有している。
【０００５】
また、固定部９２０は、溶接によって部材９９２に固定される一端部９２１と、固定部９１０の内部に挿入された他端部９２２とを有しており、弾性体によって形成されている。
【０００６】
なお、壁部９１２、連結部９１３及び固定部９２０は、一体に形成されている。
【０００７】
また、緩衝装置９００は、基部９１１、壁部９１２、連結部９１３及び固定部９２０によって形成された空間９０１に流体が充填されている。
【０００８】
そして、部材９９１に衝撃や振動が加わることによって部材９９２が部材９９１に対して移動すると、固定部９２０と壁部９１２とが離隔しているとき、部材９９２に固定された固定部９２０が部材９９１に固定された固定部９１０に対して移動して空間９０１に充填された流体を押すので、連結部９１３は固定部９２０によって押された流体に押されて変形する。
【０００９】
ここで、固定部９２０が、固定部９１０に対する速度及び移動量に比例した抵抗力を空間９０１に充填された流体を押すときに流体から受けるので、緩衝装置９００は、部材９９１から部材９９２に伝達される衝撃や振動を緩めることができる。
【００１０】
【特許文献１】
特開平８−３０６１７６号公報（第６頁、第６図）
【００１１】
【発明が解決しようとする課題】
しかしながら、上記従来の緩衝装置９００においては、固定部９２０が壁部９１２に衝突すると、部材９９１に加わった衝撃や振動を緩めることができないので、予め設定された衝撃や振動が部材９９１に加わったときに固定部９２０及び壁部９１２が衝突しない程度に、壁部９１２及び固定部９２０の間隔９０２が確保されなければならないという問題が有った。
【００１２】
そこで、本発明は、従来と比較して小型の緩衝装置を提供することを目的とする。
【００１３】
【課題を解決するための手段】
上記課題を解決するために、本発明の緩衝装置は、第１の部材に固定されるべき第１の固定部と、前記第１の固定部に移動可能に支持されて第２の部材に固定されるべき第２の固定部とを備え、前記第２の固定部は、前記第１の固定部の内部に挿入された挿入部を有し、前記第２の固定部の一部又は全部が弾性係数の異なる複数の弾性体によって形成された構成を有している。
【００１４】
この構成により、本発明の緩衝装置は、弾性係数の異なる複数の弾性体によって第２の固定部の一部又は全部が形成されているので、第１の部材及び第２の部材の間で伝達される衝撃や振動を第２の固定部自体によって緩めることができ、従来と比較して小型化されることができる。
【００１５】
また、本発明の緩衝装置は、前記第２の固定部は、弾性体によって形成されて前記第２の部材に取り付けられることによって前記第２の部材に固定されるべき取付部を有した構成を有している。
【００１６】
この構成により、本発明の緩衝装置は、弾性体によって形成された取付部を有しているので、従来と比較して第２の部材への固定作業を容易にすることができる。
【００１７】
また、本発明の防振装置は、対向して配置された一対の緩衝装置と、一対の前記緩衝装置の前記第１の固定部に固定された前記第１の部材と、一対の前記緩衝装置の前記第２の固定部に固定された前記第２の部材と、弾性体によって形成されて前記第２の部材を３次元方向に移動可能に前記第１の部材に連結した複数の弾性連結部とを備えた構成を有している。
【００１８】
この構成により、本発明の防振装置は、緩衝装置が従来と比較して小型化されることができるので、従来と比較して小型化されることができる。
【００１９】
また、本発明の防振装置は、前記第２の部材に直接的に或いは間接的に支持されてディスクの情報の読み取り及び書き込みの少なくとも一方を行うヘッド部を備えた構成を有している。
【００２０】
この構成により、本発明の防振装置は、ヘッド部が第２の部材に支持されているので、第１の部材に衝撃や振動が加わったときに第１の部材からヘッド部に衝撃や振動が伝達することを防止することができ、第１の部材からヘッド部に伝達される衝撃や振動によってヘッド部が誤動作することを防止することができる。
【００２１】
【発明の実施の形態】
以下、本発明の一実施の形態について、図面を用いて説明する。
【００２２】
まず、本実施の形態に係る緩衝装置及び防振装置の構成について説明する。
【００２３】
図１に示すように、本実施の形態に係る防振装置１００は、第１の部材としての筐体１１０と、筐体１１０の内部に収納された第２の部材としての筐体１２０と、筐体１２０を３次元方向に移動可能に筐体１１０に連結した複数の弾性連結部としての８つのコイルばね１３０と、対向して配置された一対の本実施の形態に係る緩衝装置２００とを備えている。
【００２４】
また、緩衝装置２００は、図２に示すように、筐体１１０に固定される第１の固定部としての固定部２１０と、固定部２１０に移動可能に支持されて筐体１２０に固定される第２の固定部としての固定部２２０とを備えている。
【００２５】
ここで、固定部２１０は、合成樹脂によって形成された基部２１１と、基部２１１に固定された略円筒状の壁部２１２と、固定部２２０を３次元方向に移動可能に壁部２１２に連結した波状の連結部２１３とを有している。
【００２６】
基部２１１は、筐体１１０に形成された複数の穴１１０ａに挿入された複数の雄ねじ１４０と嵌合する複数の雌ねじ２１１ａを有しており、複数の雄ねじ１４０によって筐体１１０に固定されている。
【００２７】
また、固定部２２０は、筐体１２０に形成された穴１２０ａに挿入されて筐体１２０に取り付けられることによって筐体１２０に固定された取付部２２１と、固定部２１０の内部に挿入された挿入部２２２と、取付部２２１及び挿入部２２２を連結した連結部２２３とを有している。
【００２８】
なお、壁部２１２、連結部２１３、取付部２２１、挿入部２２２及び連結部２２３は、弾性体によって一体に形成されており、壁部２１２の弾性係数と、挿入部２２２の弾性係数とは、略同一であって連結部２１３の弾性係数より小さく、取付部２２１の弾性係数と、連結部２２３の弾性係数とは、略同一であって連結部２１３の弾性係数より大きくなっている。
【００２９】
また、緩衝装置２００は、基部２１１、壁部２１２、連結部２１３及び挿入部２２２によって形成された空間２０１にシリコンオイル等の流体が充填されている。
【００３０】
次に、本実施の形態に係る緩衝装置及び防振装置の動作について説明する。
【００３１】
筐体１１０に衝撃や振動が加わることによって筐体１２０が筐体１１０に対して移動すると、挿入部２２２と壁部２１２とが離隔しているとき、筐体１２０に固定された固定部２２０が筐体１１０に固定された固定部２１０に対して移動して空間２０１に充填された流体を押すので、連結部２１３は固定部２２０によって押された流体に押されて変形する。
【００３２】
ここで、固定部２２０が、固定部２１０に対する速度及び移動量に比例した抵抗力を空間２０１に充填された流体を押すときに流体から受けるので、緩衝装置２００は、筐体１１０から筐体１２０に伝達される衝撃や振動を緩めることができる。
【００３３】
また、挿入部２２２が壁部２１２に衝突しても、緩衝装置２００は、弾性係数が壁部２１２及び挿入部２２２より小さい取付部２２１及び連結部２２３によって壁部２１２及び挿入部２２２の間の衝撃を吸収するので、筐体１１０から筐体１２０に伝達される衝撃や振動を緩めることができる。
【００３４】
以上に説明したように、緩衝装置２００は、弾性係数の異なる複数の弾性体によって固定部２２０が形成されており、筐体１１０から筐体１２０に伝達される衝撃や振動を固定部２２０自体、即ち、取付部２２１及び連結部２２３によって緩めることができるので、壁部２１２及び挿入部２２２の間隔２０２を従来と比較して小さくすることができ、従来と比較して小型化されることができる。
【００３５】
なお、緩衝装置２００が従来と比較して小型化されることができるので、防振装置１００も従来と比較して小型化されることができる。
【００３６】
また、緩衝装置２００は、弾性体によって形成された取付部２２１を有しているので、取付部２２１が弾性変形させられてから筐体１２０の穴１２０ａに挿入されることによって固定部２２０が筐体１２０に固定されることができ、従来と比較して筐体１２０への固定作業を容易にすることができる。
【００３７】
また、防振装置１００は、図３に示すように、ＣＤ（Ｃｏｍｐａｃｔ  Ｄｉｓｃ）、ＭＤ（Ｍｉｎｉ  Ｄｉｓｃ）及びＤＶＤ（Ｄｉｇｉｔａｌ  Ｖｅｒｓａｔｉｌｅ  Ｄｉｓｃ）等のディスク８００の情報の読み取り及び書き込みの少なくとも一方を非接触状態で行うヘッド部としての光ピックアップ１５０や、ディスク８００を回転させる図示していないスピンドルモータ等の筐体１２０に支持された複数の装置と、筐体１２０に支持された各装置の動作を制御する筐体１１０に支持された複数の回路基板１６０とを備えた車載用のディスク装置を構成していても良い。
【００３８】
なお、図３に示す防振装置１００は、図示していないが、筐体１２０を３次元方向に移動可能に筐体１１０に連結した８つのコイルばね１３０（図１参照）も備えている。
【００３９】
また、防振装置１００は、ハードディスクや、ハードディスクの情報の読み取り及び書き込みを非接触状態で行うヘッド部等の筐体１２０に支持された複数の装置を備えたディスク装置を構成することもできる。
【００４０】
防振装置１００は、上述したようなディスク装置を構成しているとき、光ピックアップ１５０等のヘッド部が筐体１２０に支持されているので、筐体１１０に衝撃や振動が加わったときに筐体１１０からヘッド部に衝撃や振動が伝達することを防止することができ、筐体１１０からヘッド部に伝達される衝撃や振動によってヘッド部が誤動作することを防止することができる。
【００４１】
【発明の効果】
以上に説明したように、本発明によれば、従来と比較して小型の緩衝装置を提供することができる。
【図面の簡単な説明】
【図１】本発明の一実施の形態に係る防振装置の外観斜視図
【図２】図１に示す防振装置の緩衝装置の断面図
【図３】本発明の一実施の形態に係る防振装置の図１に示す例とは異なる例での外観斜視図
【図４】
従来の緩衝装置の断面図
【符号の説明】
１００      防振装置
１１０      筐体（第１の部材）
１２０      筐体（第２の部材）
１３０      コイルばね（弾性連結部）
１５０      光ピックアップ（ヘッド部）
２００      緩衝装置
２１０      固定部（第１の固定部）
２２０      固定部（第２の固定部）
２２１      取付部
８００      ディスク
【図１】
2004197832.tif 000003
【図２】
2004197832.tif 000004
【図３】
2004197832.tif 000005
【図４】
2004197832.tif 000006